(57)【特許請求の範囲】
【請求項１】
ボルト締結用のボルト孔が形成されたコンタクトと、前記コンタクトに取り付けられたハウジングと、を有する電気コネクタと、
前記ボルト孔を用いたボルト締結により前記電気コネクタの前記コンタクトが取り付けられる第１面と、前記第１面に対して略直交する第２面と、を有する接続対象物と、
を備えた組立体であって、
前記電気コネクタの前記ハウジングは、前記電気コネクタの前記コンタクトの前記ボルト孔の中心軸方向で見て、前記ボルト孔の中心軸を中心とする仮想的な円の接線方向に沿って細長く延びて形成され、
前記ボルト孔を用いたボルト締結によって前記電気コネクタが回転しようとした際、前記電気コネクタの前記ハウジングが前記接続対象物の前記第２面に対して接触することで前記電気コネクタの回転が規制される、
組立体。
【請求項２】
請求項１に記載の組立体であって、
前記電気コネクタの前記ハウジングは、前記ボルト締結の際、前記中心軸方向で見て、前記電気コネクタの前記ハウジングの長手方向が、前記接続対象物の前記第２面に対して略平行となるように、前記接続対象物に対して配置可能である、
組立体。
【請求項３】
請求項１又は２に記載の組立体であって、
前記電気コネクタの前記ハウジングは、前記ボルト締結の際、前記接続対象物の前記第２面に対して直交する方向で見て、前記電気コネクタの前記ハウジングの長手方向が、前記接続対象物の前記第１面に対して略平行となるように、前記接続対象物に対して配置可能である、
組立体。
【請求項４】
請求項１〜３の何れかに記載の組立体であって、
前記電気コネクタの前記コンタクトは、前記ボルト孔が形成される第１コンタクト部と、前記第１コンタクト部に接続すると共に、前記電気コネクタの前記ハウジングの長手方向に沿って延びる第２コンタクト部と、を含む、
組立体。
【請求項５】
請求項４に記載の組立体であって、
前記第１コンタクト部と前記第２コンタクト部は、略直交している、
組立体。
【請求項６】
請求項５に記載の組立体であって、
前記電気コネクタの前記コンタクトは、略L字状に形成されている、
組立体。
【請求項７】
請求項６に記載の組立体であって、
前記電気コネクタの前記ハウジングは、前記第２コンタクト部を収容する、
組立体。
【請求項８】
請求項７に記載の組立体であって、
前記第１コンタクト部と前記第２コンタクト部は、前記電気コネクタの前記ハウジングの長手方向中途部において、接続している、
組立体。
【請求項９】
請求項４〜８の何れかに記載の組立体であって、
前記第１コンタクト部の板厚方向と、前記第２コンタクト部の板厚方向と、は略平行である、
組立体。
【請求項１０】
請求項１〜９の何れかに記載の組立体であって、
前記電気コネクタの前記ハウジングには、相手コネクタの相手ハウジングとの結合状態を維持するためのロック部が形成されている、
組立体。
【請求項１１】
請求項１〜１０の何れかに記載の組立体であって、
前記接続対象物は、バッテリーである、
組立体。
【発明の詳細な説明】
【技術分野】
【０００１】
本発明は、組立体に関する。
【背景技術】
【０００２】
この種の技術として、特許文献１は、本願の図２８に示すように、電線１００をバッテリ１０１のバッテリ端子１０２のバッテリポスト１０３に接続するためのバッテリ端子接続コネクタ１０４を開示している。バッテリ端子接続コネクタ１０４は、分岐用ターミナル１０５を収容した雌コネクタハウジング１０６と、電線１００の端部に接続される接続端子１０７を収容する雄コネクタハウジング１０８と、から構成されている。分岐用ターミナル１０５は、バッテリポスト１０３が挿通可能な取付穴１０９を有している。この構成で、雌コネクタハウジング１０６をバッテリ１０１のバッテリ端子１０２に取り付けるには、雌コネクタハウジング１０６の分岐用ターミナル１０５の取付穴１０９にバッテリポスト１０３を挿通させた後、そのバッテリポスト１０３にナット１１０を螺合させる。
【先行技術文献】
【特許文献】
【０００３】
【特許文献１】特開２００１−２５６９５６号公報
【発明の概要】
【発明が解決しようとする課題】
【０００４】
しかしながら、上記特許文献１の構成では、バッテリポスト１０３にナット１１０を螺合させる際に、雌コネクタハウジング１０６がバッテリ１０１に対して回転してしまう虞があった。
【０００５】
本願発明の目的は、電気コネクタを接続対象物にネジ止めの際に、電気コネクタが接続対象物に対して相対的に回転するのを防止する技術を提供することにある。
【課題を解決するための手段】
【０００６】
本願発明の観点によれば、ボルト締結用のボルト孔が形成されたコンタクトと、前記コンタクトに取り付けられたハウジングと、を有する電気コネクタと、前記ボルト締結により前記電気コネクタの前記コンタクトが取り付けられる第１面と、前記第１面に対して略直交する第２面と、を有する接続対象物と、を備えた組立体であって、前記電気コネクタの前記ハウジングは、前記電気コネクタの前記コンタクトの前記ボルト孔の中心軸方向で見て、前記ボルト孔の中心軸を中心とする仮想的な円の接線方向に沿って細長く延びて形成されると共に、前記ボルト締結の際、前記接続対象物の前記第２面に対して接触可能である、組立体が提供される。
前記電気コネクタの前記ハウジングは、前記ボルト締結の際、前記中心軸方向で見て、前記電気コネクタの前記ハウジングの長手方向が、前記接続対象物の前記第２面に対して略平行となるように、前記接続対象物に対して配置可能である。
前記電気コネクタの前記ハウジングは、前記ボルト締結の際、前記接続対象物の前記第２面に対して直交する方向で見て、前記電気コネクタの前記ハウジングの長手方向が、前記接続対象物の前記第１面に対して略平行となるように、前記接続対象物に対して配置可能である。
前記電気コネクタの前記コンタクトは、前記ボルト孔が形成される第１コンタクト部と、前記第１コンタクト部に接続すると共に、前記電気コネクタの前記ハウジングの長手方向に沿って延びる第２コンタクト部と、を含む。
前記第１コンタクト部と前記第２コンタクト部は、略直交している。
前記電気コネクタの前記コンタクトは、略L字状に形成されている。
前記電気コネクタの前記ハウジングは、前記第２コンタクト部を収容する。
前記第１コンタクト部と前記第２コンタクト部は、前記電気コネクタの前記ハウジングの長手方向中途部において、接続している。
前記第１コンタクト部の板厚方向と、前記第２コンタクト部の板厚方向と、は略平行である。
前記電気コネクタの前記ハウジングには、相手コネクタの相手ハウジングとの結合状態を維持するためのロック部が形成されている。
前記接続対象物は、バッテリーである。
【発明の効果】
【０００７】
本願発明によれば、前記ボルト締結に際し、前記電気コネクタの前記ハウジングが前記接続対象物の前記第２面に対して効果的に引っ掛かるので、前記接続対象物に対する前記電気コネクタの回り止め効果が発揮される。
【図面の簡単な説明】
【０００８】
【図１】図1は、バッテリーユニットの斜視図である。（第１実施形態）
【図２】図2は、バッテリー組立体の正面図である。（第１実施形態）
【図３】図3は、バッテリー組立体の平面図である。（第１実施形態）
【図４】図4は、バッテリー組立体の側面図である。（第１実施形態）
【図５】図5は、バッテリー組立体の分解斜視図である。（第１実施形態）
【図６】図6は、バッテリーの斜視図である。（第１実施形態）
【図７】図7は、接続ケーブルの部分斜視図である。（第１実施形態）
【図８】図8は、レセプタクルコネクタの斜視図である。（第１実施形態）
【図９】図9は、レセプタクルコネクタの別の角度から見た斜視図である。（第１実施形態）
【図１０】図10は、レセプタクルコネクタの平面図である。（第１実施形態）
【図１１】図11は、レセプタクルコネクタの一部切り欠き斜視図である。（第１実施形態）
【図１２】図12は、レセプタクルコネクタの分解斜視図である。（第１実施形態）
【図１３】図13は、レセプタクルハウジングの一部切り欠き斜視図である。（第１実施形態）
【図１４】図14は、レセプタクルハウジングの平面図である。（第１実施形態）
【図１５】図15は、レセプタクルハウジングの側面図である。（第１実施形態）
【図１６】図16は、図１４のXVI-XVI線断面図である。（第１実施形態）
【図１７】図17は、図１５のXVII-XVII線断面図である。（第１実施形態）
【図１８】図18は、レセプタクルコンタクトの斜視図である。（第１実施形態）
【図１９】図19は、レセプタクルコンタクトの平面図である。（第１実施形態）
【図２０】図20は、レセプタクルハウジングにレセプタクルコンタクトを取り付けた状態を示す断面図（図16相当）である。（第１実施形態）
【図２１】図21は、レセプタクルハウジングにレセプタクルコンタクトを取り付けた状態を示す断面図（図17相当）である。（第１実施形態）
【図２２】図22は、図３のA部拡大図である。（第１実施形態）
【図２３】図23は、レセプタクルコネクタの断面図（図21相当）であって、レセプタクルコネクタの作動説明図である。（第１実施形態）
【図２４】図24は、レセプタクルコネクタの断面図（図21相当）であって、レセプタクルコネクタの作動説明図である。（第１実施形態）
【図２５】図25は、バッテリー組立体の平面図である。（比較例）
【図２６】図26は、レセプタクルコンタクトの斜視図である。（第２実施形態）
【図２７】図27は、レセプタクルコンタクトの斜視図である。（第３実施形態）
【図２８】図28は、特許文献１の図１に相当する図である。
【発明を実施するための形態】
【０００９】
（第１実施形態）
以下、図１〜図２４を参照しつつ、本願発明の第１実施形態を説明する。
【００１０】
（バッテリーユニット１）
図１に示すように、バッテリーユニット１（組立ユニット）は、バッテリー組立体２（組立体）と、接続ケーブル３と、によって構成されている。図２はバッテリー組立体２の正面図であり、図３はバッテリー組立体２の平面図であり、図４はバッテリー組立体２の側面図である。
【００１１】
（バッテリー組立体２）
図５に示すように、バッテリー組立体２は、バッテリー４（接続対象物）と、レセプタクルコネクタ５（電気コネクタ）と、バスバー６と、複数のナット７と、を備えて構成されている。
【００１２】
（バッテリー４）
図６に示すように、バッテリー４は、バッテリー本体８と、段積み用リブ９と、一対のバッテリー端子ユニット１０と、によって構成されている。バッテリー本体８は、上面８ａ（第１面）、正面８ｂ、右側面８ｃ（第２面）、左側面８ｄ、背面８ｅ、を有する略直方体に形成されている。従って、上面８ａと右側面８ｃは、略直交している。段積み用リブ９は、上面８ａを取り囲むように、上面８ａの周縁から上方に突出して形成されている。段積み用リブ９は、正面８ｂに対応する正面リブ９ｂと、右側面８ｃに対応する右側面リブ９ｃと、左側面８ｄに対応する左側面リブ９ｄと、背面８ｅに対応する背面リブ９ｅと、によって構成されている。一対のバッテリー端子ユニット１０は、上面８ａに形成されている。各バッテリー端子ユニット１０は、上面８ａの４つの隅部８ｆのうち正面８ｂに近い２つの隅部８ｆに配置されている。各バッテリー端子ユニット１０は、バッテリー端子１１と、バッテリーポスト１２と、によって構成されている。本実施形態においてバッテリーポスト１２は、雄ネジ状に形成されており、バッテリー端子１１から上方に突出するように配置されている。段積み用リブ９の右側面リブ９ｃには、右側面８ｃに対して直交する方向で見てバッテリー端子ユニット１０を覗き見ることができるよう、バッテリー端子ユニットアクセス用スリット１３が形成されている。段積み用リブ９の左側面リブ９ｄにも同様に、バッテリー端子ユニットアクセス用スリット１３が形成されている。そして、段積み用リブ９の右側面リブ９ｃの存在により、バッテリー本体８の右側面８ｃは、上面８ａよりも上方に延長されている。同様に、段積み用リブ９の左側面リブ９ｄの存在により、バッテリー本体８の左側面８ｄも、上面８ａより上方に延長されている。
【００１３】
（接続ケーブル３）
図７に示すように、接続ケーブル３は、接続ケーブル本体１４と、接続ケーブル本体１４の端部に取り付けられるプラグコネクタ１５（相手コネクタ）と、によって構成されている。接続ケーブル本体１４は、中心導体１４ａと、中心導体１４ａを被覆する被覆材１４ｂと、によって構成されている。プラグコネクタ１５は、中心導体１４ａに取り付けられるプラグコンタクト１５ａ（相手コンタクト）と、プラグコンタクト１５ａを収容して保持するプラグハウジング１５ｂと、によって構成されている。プラグハウジング１５ｂには、両端支持状のランス１６が形成されている。ランス１６は、ロック爪１７を有している。
【００１４】
（レセプタクルコネクタ５）
次に、図８〜図２１を参照して、レセプタクルコネクタ５を説明する。
【００１５】
図８〜図１２に示すように、レセプタクルコネクタ５は、プラグコネクタ１５のプラグコンタクト１５ａ（図７参照）と接触可能なレセプタクルコンタクト２０（コンタクト）と、レセプタクルコンタクト２０が挿入されるコンタクト挿入孔２１が形成されたレセプタクルハウジング２２（ハウジング）と、を備え、コンタクト挿入孔２１にレセプタクルコンタクト２０を挿入すると、レセプタクルコンタクト２０がレセプタクルハウジング２２に保持されるように構成されている。
【００１６】
図８〜図１２に示すように、本実施形態においてレセプタクルハウジング２２は、細長く形成されている。また、図１２に示すように、レセプタクルコンタクト２０は、略L字状に形成されている。即ち、レセプタクルコンタクト２０は、ボルト締結用のボルト孔２３が形成されたボルト締結部２４（第１コンタクト部）と、ボルト締結部２４に接続すると共に、レセプタクルハウジング２２の長手方向に沿って延びる被収容部２５（第２コンタクト部）と、によって構成されている。ボルト締結部２４の長手方向と被収容部２５の長手方向は、略直交している。図１２に示すように、本実施形態においてレセプタクルコンタクト２０をレセプタクルハウジング２２のコンタクト挿入孔２１に挿入する方向を挿入方向Dで示す。
【００１７】
ここで、「長手方向」及び「中心軸方向」、「短手方向」を定義する。長手方向とは、原則として、レセプタクルハウジング２２の長手方向を意味する。長手方向は、図１２に示す挿入方向Dと、その反対の方向である反挿入方向を含む。中心軸方向は、ボルト孔２３の中心軸方向を意味する。中心軸方向は、上方向と下方向を含む。短手方向は、長手方向に対して直交し、中心軸方向に対して直交する方向である。短手方向は、被収容部２５からボルト締結部２４を見る方向であるボルト締結部突出方向と、ボルト締結部２４から被収容部２５を見る方向である反ボルト締結部突出方向と、を含む。
【００１８】
（レセプタクルコネクタ５：レセプタクルハウジング２２）
以下、図１３〜図１７を参照しつつ、レセプタクルコネクタ５のレセプタクルハウジング２２を説明する。また、図１６及び図１７は、説明の便宜上、レセプタクルハウジング２２の断面を簡略化して描いている。
【００１９】
図１３〜図１５に示すように、レセプタクルハウジング２２は、細長い略直方体状の外観を有している。レセプタクルハウジング２２は、ハウジング本体２６と嵌合部２７によって構成されている。ハウジング本体２６は、嵌合部２７の反挿入方向に隣接している。嵌合部２７は、ハウジング本体２６の挿入方向Dに隣接している。レセプタクルハウジング２２は、略筒状に構成されている。
【００２０】
図１６及び図１７に示すように、ハウジング本体２６は、天板３０、底板３１、左側板３２、右圧入保持部３３、左圧入保持部３４、ランス３５によって構成されている。
【００２１】
天板３０と底板３１は、中心軸方向において対向している。天板３０は底板３１よりも上方向に位置しており、底板３１は天板３０よりも下方向に位置している。天板３０と底板３１の間には、レセプタクルコンタクト２０の厚みを若干上回る程度の隙間ｇが形成されている（図１２も併せて参照）。
【００２２】
天板３０は、下面３０ａを有している。下面３０ａは、底板３１に対して対向する面である。下面３０ａには、ランス３５が形成されている。ランス３５は、レセプタクルコンタクト２０の抜け止めのためのものである。ランス３５は、天板３０の下面３０ａから、挿入方向Dに向かって片持梁状に延びて形成されている。ランス３５の自由端には、ランス爪３５ａが形成されている。
【００２３】
底板３１は、上面３１ａを有している。上面３１ａは、天板３０に対して対向する面である。上面３１ａには、干渉部挿入溝３６が形成されている。干渉部挿入溝３６は、上面３１ａの反挿入方向側に形成されている。干渉部挿入溝３６は、上方向及び反挿入方向に開口している。図１７に示すように、干渉部挿入溝３６は、挿入方向Dに向うにつれて短手方向の寸法が徐々に狭くなるように形成されている。底板３１は、右内壁面３６ａ（内壁面、規制部）と左内壁面３６ｂ（内壁面、規制部）を有している。右内壁面３６ａは、干渉部挿入溝３６のボルト締結部突出方向側を区画する内壁面である。左内壁面３６ｂは、干渉部挿入溝３６の反ボルト締結部突出方向側を区画する内壁面である。右内壁面３６ａと左内壁面３６ｂは、向かい合っている。右内壁面３６ａと左内壁面３６ｂとの間の隙間は、従って、挿入方向Dに向うにつれて徐々に狭くなっている。
【００２４】
左側板３２及び右圧入保持部３３、左圧入保持部３４は、何れも、天板３０と底板３１との間に形成されている。
【００２５】
左側板３２及び左圧入保持部３４は、隙間ｇの反ボルト締結部突出方向側を区画している。左側板３２は、左圧入保持部３４の反挿入方向側に隣接している。左圧入保持部３４は、左側板３２の挿入方向D側に隣接している。右圧入保持部３３は、隙間ｇのボルト締結部突出方向側を区画している。右圧入保持部３３と左圧入保持部３４は、短手方向において対向している。
【００２６】
右圧入保持部３３は、右圧入保持面３３ａ及び右コンタクト挿入規制面３３ｂを有している。右圧入保持面３３ａは、左圧入保持部３４と対向する面である。右コンタクト挿入規制面３３ｂは、反挿入方向を向く面である。
【００２７】
左圧入保持部３４は、左圧入保持面３４ａ及び左コンタクト挿入規制面３４ｂを有している。左圧入保持面３４ａは、右圧入保持部３３と対向する面である。左コンタクト挿入規制面３４ｂは、反挿入方向を向く面である。
【００２８】
本実施形態において、図１６及び図１７において破線で示すように、天板３０の下面３０ａ、底板３１の上面３１ａ、右圧入保持部３３の右圧入保持面３３ａ、左圧入保持部３４の左圧入保持面３４ａによって、コンタクト挿入孔２１が形成されている。
【００２９】
図１６に示すように、ランス３５のランス爪３５ａは、コンタクト挿入孔２１内に位置している。
【００３０】
その他、底板３１には、図１６及び図１７に示すように、適宜、肉抜き３７が形成されている。
【００３１】
嵌合部２７は、略角筒状に、ハウジング本体２６から挿入方向Dに突出して形成されている。図１６に示すように、嵌合部２７は、プラグコネクタ１５を受け入れる嵌合空間Sを提供している。嵌合部２７の嵌合天板２７ａには、図７に示すプラグコネクタ１５のプラグハウジング１５ｂのランス１６のロック爪１７が引っ掛かるランスロック面２７ｂ（ロック部）が形成されている。
【００３２】
（レセプタクルコネクタ５：レセプタクルコンタクト２０）
図１８及び図１９に示すように、レセプタクルコンタクト２０は、若干肉厚の金属板Mによって形成されている。レセプタクルコンタクト２０は、前述したように、ボルト締結部２４と、被収容部２５と、によって構成されている。詳しくは、レセプタクルコンタクト２０は、ボルト締結部２４と被収容部２５に加えて、干渉部４４を有している。被収容部２５は、被保持部４０、先端部４１、基端部４２によって構成されている。ボルト締結部２４と被収容部２５は、板厚方向が略平行である。また、干渉部４４の板厚方向は、基端部４２等の板厚方向に対して直交する関係にある。干渉部４４の板厚方向は、長手方向に対して平行である。基端部４２、被保持部４０、先端部４１は、挿入方向Dに向かってこの順に並べられている。
【００３３】
被保持部４０は、図１７に示すレセプタクルハウジング２２のハウジング本体２６のコンタクト挿入孔２１に収容されて、レセプタクルハウジング２２のハウジング本体２６に保持される部分である。図１９に示すように、被保持部４０は、ボルト締結部突出方向に膨らみ出る右膨出部４０ａと、反ボルト締結部突出方向に膨らみ出る左膨出部４０ｂと、を有している。右膨出部４０ａ及び左膨出部４０ｂは、先端部４１の近傍に形成されている。なお、図１７に示す右圧入保持部３３の右圧入保持面３３ａと左圧入保持部３４の左圧入保持面３４ａによって挟まれるコンタクト挿入孔２１の短手方向の寸法は、図１９に示す右膨出部４０ａ及び左膨出部４０ｂを含む被保持部４０の短手方向の寸法よりも僅かに小さくなるように設定されている。
【００３４】
先端部４１は、被保持部４０から、挿入方向Dに突出し、プラグコネクタ１５のプラグコンタクト１５ａ（図７参照）と接触可能な部分である。
【００３５】
基端部４２は、被保持部４０から、反挿入方向に突出する部分である。基端部４２は、右肩面４２ａ及び左肩面４２ｂを有している。右肩面４２ａは、被保持部４０よりもボルト締結部突出方向側に位置し、挿入方向Dを向く面である。左肩面４２ｂは、被保持部４０よりも反ボルト締結部突出方向側に位置し、挿入方向Dを向く面である。
【００３６】
ボルト締結部２４は、基端部４２から、ボルト締結部突出方向に突出する部分である。ボルト締結部２４には、ボルト締結用のボルト孔２３が形成されている。
【００３７】
干渉部４４は、図１８に示すように、基端部４２から突出する部分である。干渉部４４は、基端部４２に対して下方向側に傾斜して突出している。本実施形態において、干渉部４４は、干渉部４４の板厚方向が基端部４２の板厚方向に対して略直角となるように、基端部４２から突出している。即ち、干渉部４４は、基端部４２から、下方向に突出して形成されている。干渉部４４は、基端部４２を挟んで被保持部４０と反対側に配置されている。干渉部４４の板厚方向は、長手方向に対して平行である。干渉部４４は、右端面４４ａ及び左端面４４ｂを有している。右端面４４ａは、ボルト締結部突出方向を向く端面である。左端面４４ｂは、反ボルト締結部突出方向を向く端面である。
【００３８】
また、レセプタクルコンタクト２０には、ランスロック孔４５が形成されている。レセプタクルコンタクト２０は、ランスロック孔４５の挿入方向D側を区画するランスロック面４５ａを有している。ランスロック面４５ａは、長手方向で見て、被保持部４０の略中央に位置している。換言すれば、レセプタクルコンタクト２０の被保持部４０には、ランス３５のランス爪３５ａが引っ掛かるランスロック面４５ａが形成されている。
【００３９】
（レセプタクルコネクタ５の組立方法）
次に、図２０及び図２１を参照して、レセプタクルコネクタ５の組立方法を説明する。
【００４０】
レセプタクルコネクタ５を組み立てるには、図２１に示すように、レセプタクルコンタクト２０をレセプタクルハウジング２２の隙間ｇに強く挿入する。
【００４１】
すると、図１９のレセプタクルコンタクト２０の基端部４２の右肩面４２ａ及び左肩面４２ｂが、図１７のレセプタクルハウジング２２の右圧入保持部３３の右コンタクト挿入規制面３３ｂと、左圧入保持部３４の左コンタクト挿入規制面３４ｂに対して夫々接触し、レセプタクルハウジング２２の隙間ｇに対するレセプタクルコンタクト２０のそれ以上の挿入が禁止される。
【００４２】
図２１に示す状態では、レセプタクルコンタクト２０の被保持部４０は、レセプタクルハウジング２２のコンタクト挿入孔２１に圧入されることで、レセプタクルハウジング２２に保持されている。具体的には、レセプタクルコンタクト２０の被保持部４０は、コンタクト挿入孔２１に圧入されることで、短手方向でレセプタクルハウジング２２に挟まれ、この結果、レセプタクルハウジング２２に保持されている。更に詳しく見ていくと、図２１に示す状態で、図１９のレセプタクルコンタクト２０の被保持部４０の右膨出部４０ａが、図１７のレセプタクルハウジング２２のハウジング本体２６の右圧入保持部３３の右圧入保持面３３ａに食い込んでいる。同様に、図１９のレセプタクルコンタクト２０の被保持部４０の左膨出部４０ｂが、図１７のレセプタクルハウジング２２のハウジング本体２６の左圧入保持部３４の左圧入保持面３４ａに食い込んでいる。このように、レセプタクルコンタクト２０の被保持部４０がレセプタクルハウジング２２のコンタクト挿入孔２１に圧入されることで、レセプタクルコンタクト２０の被保持部４０がレセプタクルハウジング２２に対して長手方向及び短手方向において拘束される。
【００４３】
また、図２１に示す状態では、レセプタクルコンタクト２０の干渉部４４が、レセプタクルハウジング２２の干渉部挿入溝３６に圧入されている。詳しく見ていくと、図１９のレセプタクルコンタクト２０の干渉部４４の右端面４４ａが、図１７のレセプタクルハウジング２２のハウジング本体２６の右内壁面３６ａに食い込んでいる。同様に、図１９のレセプタクルコンタクト２０の干渉部４４の左端面４４ｂが、図１７のレセプタクルハウジング２２のハウジング本体２６の左内壁面３６ｂに食い込んでいる。このように、レセプタクルコンタクト２０の干渉部４４がレセプタクルハウジング２２の干渉部挿入溝３６に圧入されることで、レセプタクルコンタクト２０の干渉部４４がレセプタクルハウジング２２に対して長手方向及び短手方向において拘束される。
【００４４】
また、図２０に示す状態で、レセプタクルコンタクト２０は、レセプタクルハウジング２２のハウジング本体２６のランス３５によってロックされている。詳しく見ていくと、図１６のレセプタクルハウジング２２のハウジング本体２６のランス３５のランス爪３５ａが、図１９のレセプタクルコンタクト２０のランスロック孔４５内に進入している。この結果、図１６のレセプタクルハウジング２２のハウジング本体２６のランス３５のランス爪３５ａが、図１９のレセプタクルコンタクト２０のランスロック孔４５のランスロック面４５ａと対向している。このように、レセプタクルコンタクト２０の被保持部４０は、レセプタクルコンタクト２０のランスロック孔４５のランスロック面４５ａにレセプタクルハウジング２２のハウジング本体２６のランス３５のランス爪３５ａが引っ掛かることで、レセプタクルハウジング２２に保持されている。これにより、図２０において、接続ケーブル３が引っ張られるなどして、バッテリー４に固定されているレセプタクルコンタクト２０からレセプタクルハウジング２２が挿入方向Dに相対的に引き抜かれてしまう、という問題が未然に防止される。
【００４５】
また、図２０の状態で、図２１に示すように、レセプタクルコンタクト２０の先端部４１は、レセプタクルハウジング２２の嵌合部２７の嵌合空間S内に位置している。レセプタクルコンタクト２０のボルト締結部２４は、レセプタクルハウジング２２よりもボルト締結部突出方向側に位置している。
【００４６】
また、図２０の状態で、図１０に示すように、レセプタクルハウジング２２の長手方向Fは、中心軸方向で見て、ボルト孔２３を中心とする仮想的な円Cの接線方向に一致している。換言すれば、中心軸方向で見て、ボルト孔２３は、レセプタクルハウジング２２の長手方向Fの仮想延長線上から外れている。即ち、図２５に示すような、レセプタクルハウジング２２の長手方向Fの仮想延長線上にボルト孔２３が位置している態様は本願発明の範囲から除外される。
【００４７】
（レセプタクルコネクタ５の使用方法及び作動）
次に、図１〜図５、図２２〜図２４を参照して、レセプタクルコネクタ５の使用方法及び作動を説明する。
【００４８】
レセプタクルコネクタ５を図６に示すバッテリー４のバッテリー端子ユニット１０に取り付けるには、図５に示すように、レセプタクルコネクタ５のレセプタクルコンタクト２０のボルト孔２３にバッテリー４のバッテリー端子ユニット１０のバッテリーポスト１２を挿入した上で、ナット７をバッテリーポスト１２にねじ込めばよい。これにより、バッテリー４の正面側から、接続ケーブル３を引き出すことができるようになる。
【００４９】
このボルト締結に際し、本実施形態では、図２及び図３に示すように、レセプタクルコネクタ５のレセプタクルハウジング２２は、バッテリー４のバッテリー本体８の右側面８ｃに対して対向している。詳しくは、レセプタクルコネクタ５のレセプタクルハウジング２２は、バッテリー４のバッテリー本体８の右側面８ｃに対して接触可能な状態となっている。また、図３に示すように、ボルト締結に際し、中心軸方向で見て、レセプタクルコネクタ５のレセプタクルハウジング２２の長手方向Fは、バッテリー４のバッテリー本体８の右側面８ｃに対して略平行となる。また、図４に示すように、ボルト締結に際し、バッテリー４のバッテリー本体８の右側面８ｃに対して直交する方向で見て、レセプタクルコネクタ５のレセプタクルハウジング２２の長手方向Fは、バッテリー４のバッテリー本体８の上面８ａに対して略平行となる。
【００５０】
また、図７に示すプラグコネクタ１５を図２１に示すレセプタクルコネクタ５に嵌合させるには、プラグコネクタ１５をレセプタクルコネクタ５のレセプタクルハウジング２２の嵌合部２７の嵌合空間Sに挿入すればよい。すると、プラグコネクタ１５のプラグハウジング１５ｂのランス１６のロック爪１７が、レセプタクルコネクタ５のレセプタクルハウジング２２の嵌合部２７のランスロック面２７ｂに引っ掛かり、もって、プラグコネクタ１５がレセプタクルコネクタ５に対してロックされる。このようにプラグコネクタ１５をレセプタクルコネクタ５に嵌合させることで、プラグコネクタ１５のプラグコンタクト１５ａは、レセプタクルコネクタ５のレセプタクルコンタクト２０の先端部４１に接触し、この結果、接続ケーブル３の接続ケーブル本体１４の中心導体１４ａがバッテリー４のバッテリー端子ユニット１０のバッテリーポスト１２に接続されることになる。
【００５１】
ここで、図２２に示すように、バッテリー４のバッテリー端子ユニット１０のバッテリーポスト１２に対してナット７をねじ込む際、レセプタクルコネクタ５のレセプタクルコンタクト２０には、時計回りのトルクT1が発生する。従って、レセプタクルコネクタ５は、時計回りに回転しようとする。しかしながら、レセプタクルコネクタ５のレセプタクルハウジング２２がバッテリー４のバッテリー本体８の右側面８ｃに引っ掛かることで、レセプタクルコネクタ５の時計回りの回転は規制される。なお、ここで、「レセプタクルコネクタ５のレセプタクルハウジング２２がバッテリー４のバッテリー本体８の右側面８ｃに引っ掛かる」とは、「レセプタクルコネクタ５のレセプタクルハウジング２２の回転がバッテリー４のバッテリー本体８の右側面８ｃによって途中で妨げられ、先へ進めなくなる」を意味する。
【００５２】
また、レセプタクルコネクタ５の内部において、上記トルクT1は、図２３に示すように、レセプタクルハウジング２２のハウジング本体２６の右圧入保持部３３の右圧入保持面３３ａと、レセプタクルハウジング２２のハウジング本体２６の左内壁面３６ｂと、によって受け止められる。詳しくは、トルクT1が発生すると、即座に、レセプタクルコンタクト２０の被保持部４０の右膨出部４０ａが、レセプタクルハウジング２２のハウジング本体２６の右圧入保持部３３の右圧入保持面３３ａに受け止められると共に、レセプタクルコンタクト２０の干渉部４４が、レセプタクルハウジング２２のハウジング本体２６の左内壁面３６ｂに受け止められる。即ち、レセプタクルコンタクト２０の干渉部４４が反ボルト締結部突出方向に向かってレセプタクルハウジング２２に対して相対的に変位しようとすると、干渉部４４は、レセプタクルハウジング２２のハウジング本体２６の左内壁面３６ｂに受け止められる。従って、トルクT1が発生しても、レセプタクルハウジング２２に対するレセプタクルコンタクト２０の時計回りの回転は確実に禁止される。
【００５３】
反対に、ナット７を緩める際、レセプタクルコネクタ５のレセプタクルコンタクト２０には、反時計回りのトルクが発生する。従って、レセプタクルコネクタ５は、反時計回りに回転しようとする。しかしながら、図２２に示すレセプタクルコネクタ５のレセプタクルハウジング２２がバッテリー４のバッテリー本体８の右側面８ｃに引っ掛かることで、レセプタクルコネクタ５の反時計回りの回転は規制される。
【００５４】
また、レセプタクルコネクタ５の内部において、図２４に示すように、反時計回りのトルクT2は、レセプタクルハウジング２２のハウジング本体２６の左圧入保持部３４の左圧入保持面３４ａと、レセプタクルハウジング２２のハウジング本体２６の右内壁面３６ａと、によって受け止められる。詳しくは、トルクT2が発生すると、即座に、レセプタクルコンタクト２０の被保持部４０の左膨出部４０ｂが、レセプタクルハウジング２２のハウジング本体２６の左圧入保持部３４の左圧入保持面３４ａに受け止められると共に、レセプタクルコンタクト２０の干渉部４４が、レセプタクルハウジング２２のハウジング本体２６の右内壁面３６ａに受け止められる。即ち、レセプタクルコンタクト２０の干渉部４４がボルト締結部突出方向に向かってレセプタクルハウジング２２に対して相対的に変位しようとすると、干渉部４４は、レセプタクルハウジング２２のハウジング本体２６の右内壁面３６ａに受け止められる。従って、トルクT2が発生しても、レセプタクルハウジング２２に対するレセプタクルコンタクト２０の反時計回りの回転は確実に禁止される。
【００５５】
本実施形態において、レセプタクルコネクタ５は、図２３及び図２４に示すように、レセプタクルコンタクト２０の基端部４２がボルト締結部突出方向又は反ボルト締結部突出方向に向かってレセプタクルハウジング２２に対して相対的に変位するのを規制する変位規制機構Eを備えている。そして、変位規制機構Eは、干渉部４４及び右内壁面３６ａ、左内壁面３６ｂによって構成されている。
【００５６】
以上に、本願発明の第１実施形態を説明したが、上記第１実施形態は、以下の特長を有している。
【００５７】
（１）バッテリー組立体２（組立体）は、ボルト締結用のボルト孔２３が形成されたレセプタクルコンタクト２０（コンタクト）と、レセプタクルコンタクト２０に取り付けられたレセプタクルハウジング２２と、を有するレセプタクルコネクタ５（電気コネクタ）と、ボルト締結によりレセプタクルコネクタ５のレセプタクルコンタクト２０が取り付けられる上面８ａ（第１面）と、上面８ａに対して略直交する右側面８ｃ（第２面）と、を有するバッテリー４（接続対象物）と、を備える。レセプタクルコネクタ５のレセプタクルハウジング２２は、レセプタクルコネクタ５のレセプタクルコンタクト２０のボルト孔２３の中心軸方向で見て、前記ボルト孔２３の中心軸を中心とする仮想的な円Cの接線方向に沿って細長く延びて形成される。レセプタクルコネクタ５のレセプタクルハウジング２２のボルト締結部突出方向側の側面２２ａは、ボルト締結の際、バッテリー４の右側面８ｃに対して接触可能である。以上の構成によれば、ボルト締結に際し、レセプタクルコネクタ５のレセプタクルハウジング２２がバッテリー４の右側面８ｃに対して効果的に引っ掛かるので、バッテリー４に対するレセプタクルコネクタ５の回り止め効果が発揮される。
【００５８】
（２）また、図３に示すように、レセプタクルコネクタ５のレセプタクルハウジング２２は、ボルト締結の際、中心軸方向で見て、レセプタクルコネクタ５のレセプタクルハウジング２２の長手方向Fが、バッテリー４の右側面８ｃに対して略平行となるように、バッテリー４に対して配置可能である。以上の構成によれば、ボルト締結に際し、レセプタクルコネクタ５のレセプタクルハウジング２２がバッテリー４の右側面８ｃに対して一層効果的に引っ掛かるので、バッテリー４に対するレセプタクルコネクタ５の回り止め効果が高いレベルで発揮される。
【００５９】
（３）また、図４に示すように、レセプタクルコネクタ５のレセプタクルハウジング２２は、ボルト締結の際、バッテリー４の右側面８ｃに対して直交する方向で見て、レセプタクルコネクタ５のレセプタクルハウジング２２の長手方向Fが、バッテリー４の上面８ａに対して略平行となるように、バッテリー４に対して配置可能である。以上の構成によれば、ボルト締結に際し、レセプタクルコネクタ５のレセプタクルハウジング２２がバッテリー４の右側面８ｃに対して一層効果的に引っ掛かるので、バッテリー４に対するレセプタクルコネクタ５の回り止め効果が高いレベルで発揮される。
【００６０】
（４）また、図１９に示すように、レセプタクルコネクタ５のレセプタクルコンタクト２０は、ボルト孔２３が形成されるボルト締結部２４（第１コンタクト部）と、ボルト締結部２４に接続すると共に、レセプタクルコネクタ５のレセプタクルハウジング２２の長手方向Fに沿って延びる被収容部２５（第２コンタクト部）と、を含む。
【００６１】
（５）また、ボルト締結部２４と被収容部２５は、略直交している。詳しくは、ボルト締結部２４の長手方向と被収容部２５の長手方向は、略直交している。
【００６２】
（６）また、レセプタクルコネクタ５のレセプタクルコンタクト２０は、略L字状に形成されている。
【００６３】
（７）また、図２１に示すように、レセプタクルコネクタ５のレセプタクルハウジング２２は、被収容部２５を収容する。
【００６４】
（８）また、ボルト締結部２４と被収容部２５は、レセプタクルコネクタ５のレセプタクルハウジング２２の長手方向Fの中途部において、接続している。
【００６５】
（９）また、ボルト締結部２４の板厚方向と、被収容部２５の板厚方向と、は略平行である。
【００６６】
（１０）また、図１６に示すように、レセプタクルコネクタ５のレセプタクルハウジング２２には、プラグコネクタ１５（相手コネクタ）のプラグハウジング１５ｂ（相手ハウジング）との結合状態を維持するためのランスロック面２７ｂ（ロック部）が形成されている。
【００６７】
（１１）接続対象物としては、例えばバッテリー４が挙げられる。
【００６８】
なお、被保持部４０をレセプタクルハウジング２２に保持させる構成としては、被保持部４０をコンタクト挿入孔２１に圧入する構成と、ランス３５を用いた構成と、が挙げられる。上記第１実施形態では、両方の構成を同時に採用しているが、前者の構成のみを採用することとしてもよいし、後者の構成のみを採用することとしてもよい。
【００６９】
また、図８に示すように、レセプタクルコネクタ５のレセプタクルハウジング２２のボルト締結部突出方向側の側面２２ａには、複数の突起２２ｂが形成されているが、これらの突起２２ｂは省略することができる。複数の突起２２ｂは、レセプタクルコネクタ５のレセプタクルハウジング２２の一部である。
【００７０】
（第２実施形態）
次に、図２６を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００７１】
本実施形態においてレセプタクルコンタクト２０の被収容部２５は、被保持部４０と先端部４１、基端部４２に加えて、後端部６０を有している。後端部６０は、基端部４２から反挿入方向に突出する部分である。
【００７２】
（第３実施形態）
次に、図２７を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００７３】
本実施形態においてレセプタクルコンタクト２０のボルト締結部２４は、被収容部２５と略直交している。詳しくは、レセプタクルコンタクト２０のボルト締結部２４の板厚方向は、レセプタクルコンタクト２０の被収容部２５の板厚方向と略直交している。レセプタクルコンタクト２０のボルト締結部２４の板厚方向は、中心軸方向に対して略平行である。レセプタクルコンタクト２０の被収容部２５の板厚方向は、短手方向に対して略平行である。
【００７４】
なお、上記第１〜３実施形態において、段積み用リブ９は省略することができる。
【符号の説明】
【００７５】
１  バッテリーユニット
２  バッテリー組立体（組立体）
３  接続ケーブル
４  バッテリー（接続対象物）
５  レセプタクルコネクタ（電気コネクタ）
６  バスバー
７  ナット
８  バッテリー本体
８ａ  上面（第１面）
８ｂ  正面
８ｃ  右側面（第２面）
８ｄ  左側面
８ｅ  背面
８ｆ  隅部
９  段積み用リブ
９ｂ  正面リブ
９ｃ  右側面リブ
９ｄ  左側面リブ
９ｅ  背面リブ
１０  バッテリー端子ユニット
１１  バッテリー端子
１２  バッテリーポスト
１３  バッテリー端子ユニットアクセス用スリット
１４  接続ケーブル本体
１４ａ  中心導体
１４ｂ  被覆材
１５  プラグコネクタ（相手コネクタ）
１５ａ  プラグコンタクト
１５ｂ  プラグハウジング（相手ハウジング）
１６  ランス
１７  ロック爪
２０  レセプタクルコンタクト（コンタクト）
２１  コンタクト挿入孔
２２  レセプタクルハウジング
２２ａ  側面
２２ｂ  突起
２３  ボルト孔
２４  ボルト締結部（第１コンタクト部）
２５  被収容部（第２コンタクト部）
２６  ハウジング本体
２７  嵌合部
２７ａ  嵌合天板
２７ｂ  ランスロック面（ロック部）
３０  天板
３０ａ  下面
３１  底板
３１ａ  上面
３２  左側板
３３  右圧入保持部
３３ａ  右圧入保持面
３３ｂ  右コンタクト挿入規制面
３４  左圧入保持部
３４ａ  左圧入保持面
３４ｂ  左コンタクト挿入規制面
３５  ランス
３５ａ  ランス爪
３６  干渉部挿入溝
３６ａ  右内壁面
３６ｂ  左内壁面
３７  肉抜き
４０  被保持部
４０ａ  右膨出部
４０ｂ  左膨出部
４１  先端部
４２  基端部
４２ａ  右肩面
４２ｂ  左肩面
４４  干渉部
４４ａ  右端面
４４ｂ  左端面
４５  ランスロック孔
４５ａ  ランスロック面
６０  後端部
ｇ  隙間
D  挿入方向
F  長手方向
M  金属板
S  嵌合空間
T1  トルク
T2  トルク
E  変位規制機構
【図１】
0005480947.tif 000002
【図２】
0005480947.tif 000003
【図３】
0005480947.tif 000004
【図４】
0005480947.tif 000005
【図５】
0005480947.tif 000006
【図６】
0005480947.tif 000007
【図７】
0005480947.tif 000008
【図８】
0005480947.tif 000009
【図９】
0005480947.tif 000010
【図１０】
0005480947.tif 000011
【図１１】
0005480947.tif 000012
【図１２】
0005480947.tif 000013
【図１３】
0005480947.tif 000014
【図１４】
0005480947.tif 000015
【図１５】
0005480947.tif 000016
【図１６】
0005480947.tif 000017
【図１７】
0005480947.tif 000018
【図１８】
0005480947.tif 000019
【図１９】
0005480947.tif 000020
【図２０】
0005480947.tif 000021
【図２１】
0005480947.tif 000022
【図２２】
0005480947.tif 000023
【図２３】
0005480947.tif 000024
【図２４】
0005480947.tif 000025
【図２５】
0005480947.tif 000026
【図２６】
0005480947.tif 000027
【図２７】
0005480947.tif 000028
【図２８】
0005480947.tif 000029